(57)【要約】【課題】  電話機交換時に、交換前の設定を自動的に引き継いで使用可能にする。【解決手段】  第１電話機と、第１電話機の第１収容位置情報を管理する中継器と、複数の第２電話機のそれぞれについて、第２電話機識別情報、中継器に接続された第２電話機の第２収容位置情報、及び内線番号を一組にして管理する管理テーブルを有する交換機と、を備え、交換機は、第１電話機の第１電話機識別情報及び第１収容位置情報を含む登録要求を受け、第１電話機識別情報が管理テーブルに登録されたいずれの第２電話機識別情報とも一致せず、かつ第１収容位置情報が管理テーブルに登録されたいずれかの第２収容位置情報と一致する場合は、管理テーブルにおいて、一致した第２収容位置情報と組をなす第２電話機識別情報を第１電話機識別情報に変更し、第１電話機の内線番号として、一致した第２収容位置情報と組をなす内線番号を用いる。【選択図】図１
2017069859.tif 000002
【特許請求の範囲】
【請求項１】
第１の電話機と、
前記第１の電話機と接続され、接続された前記第１の電話機の第１の収容位置情報を管理する中継器と、
複数の第２の電話機のそれぞれについて、少なくとも第２の電話機識別情報、前記中継器に接続された第２の電話機の第２の収容位置情報、及び内線番号を一組にして管理する管理テーブルを有する交換機と、を備え、
前記交換機は、前記第１の電話機の第１の電話機識別情報及び前記第１の収容位置情報を含む登録要求を受け、前記第１の電話機識別情報及び前記第１の収容位置情報に基づいて前記管理テーブルを検索し、前記第１の電話機識別情報が前記管理テーブルに登録されたいずれの前記第２の電話機識別情報とも一致せず、かつ前記第１の収容位置情報が前記管理テーブルに登録されたいずれかの前記第２の収容位置情報と一致する場合は、前記管理テーブルにおいて、一致した前記第２の収容位置情報と組をなす第２の電話機識別情報を前記第１の電話機識別情報に変更し、前記第１の電話機の内線番号として、一致した前記第２の収容位置情報と組をなす内線番号を用いることを特徴とする電話システム。
【請求項２】
第１の電話機と、
前記第１の電話機と接続され、接続された前記第１の電話機の第１の収容位置情報を管理する中継器と、
複数の第２の電話機のそれぞれについて、少なくとも第２の電話機識別情報、前記中継器に接続された第２の電話機の第２の収容位置情報、及び内線番号を一組にして管理する管理テーブルを有する交換機と、を備え、
前記交換機は、前記第１の電話機の第１の電話機識別情報及び前記第１の収容位置情報を含む登録要求を受け、前記第１の電話機識別情報及び前記第１の収容位置情報に基づいて前記管理テーブルを検索し、前記第１の電話機識別情報が前記管理テーブルに登録されたいずれかの第２の電話機識別情報と一致し、かつ前記第１の収容位置情報が、一致した第２の電話機識別情報と組をなす第２の収容位置情報と一致しない場合は、前記管理テーブルにおいて、一致した前記第２の電話機識別情報と組をなす第２の収容位置情報を前記第１の収容位置情報に変更し、前記第１の電話機の内線番号として、一致した前記第２の電話機識別情報と組をなす内線番号を用いることを特徴とする電話システム。
【請求項３】
第１の電話機と、
前記第１の電話機と接続され、接続された前記第１の電話機の第１の収容位置情報を管理する中継器と、
複数の第２の電話機のそれぞれについて、少なくとも第２の電話機識別情報、前記中継器に接続された第２の電話機の第２の収容位置情報、及び内線番号を一組にして管理する管理テーブルを有する交換機と、を備えた電話システムの交換機の電話機交換方法であって、
前記交換機は、
前記第１の電話機の第１の電話機識別情報及び前記第１の収容位置情報を含む登録要求を受け、
前記第１の電話機識別情報及び前記第１の収容位置情報に基づいて前記管理テーブルを検索し、
前記第１の電話機識別情報が前記管理テーブルに登録されたいずれの前記第２の電話機識別情報とも一致せず、かつ前記第１の収容位置情報が前記管理テーブルに登録されたいずれかの前記第２の収容位置情報と一致する場合は、前記管理テーブルにおいて、一致した前記第２の収容位置情報と組をなす第２の電話機識別情報を前記第１の電話機識別情報に変更し、前記第１の電話機の内線番号として、一致した前記第２の収容位置情報と組をなす内線番号を用いることを特徴とする電話機交換方法。
【請求項４】
第１の電話機と、
前記第１の電話機と接続され、接続された前記第１の電話機の第１の収容位置情報を管理する中継器と、
複数の第２の電話機のそれぞれについて、少なくとも第２の電話機識別情報、前記中継器に接続された第２の電話機の第２の収容位置情報、及び内線番号を一組にして管理する管理テーブルを有する交換機と、を備えた電話システムの交換機の電話機交換方法であって、
前記交換機は、
前記第１の電話機の第１の電話機識別情報及び前記第１の収容位置情報を含む登録要求を受け、
前記第１の電話機識別情報及び前記第１の収容位置情報に基づいて前記管理テーブルを検索し、
前記第１の電話機識別情報が前記管理テーブルに登録されたいずれかの第２の電話機識別情報と一致し、かつ前記第１の収容位置情報が、一致した第２の電話機識別情報と組をなす第２の収容位置情報と一致しない場合は、前記管理テーブルにおいて、一致した前記第２の電話機識別情報と組をなす第２の収容位置情報を前記第１の収容位置情報に変更し、前記第１の電話機の内線番号として、一致した前記第２の電話機識別情報と組をなす内線番号を用いることを特徴とする電話機交換方法。
【請求項５】
第１の電話機が接続される中継器における、前記第１の電話機の第１の収容位置情報と、前記第１の電話機の第１の電話機識別情報とを含む登録要求を受ける通信インタフェースと、
複数の第２の電話機のそれぞれについて、少なくとも第２の電話機識別情報、前記中継器に接続された第２の電話機の第２の収容位置情報、及び内線番号を一組にして管理する管理テーブルと、
前記登録要求があった場合に、前記第１の電話機識別情報及び前記第１の収容位置情報に基づいて前記管理テーブルを検索し、前記第１の電話機識別情報が前記管理テーブルに登録されたいずれの前記第２の電話機識別情報とも一致せず、かつ前記第１の収容位置情報が前記管理テーブルに登録されたいずれかの前記第２の収容位置情報と一致する場合は、前記管理テーブルにおいて、一致した前記第２の収容位置情報と組をなす第２の電話機識別情報を前記第１の電話機識別情報に変更し、前記第１の電話機の内線番号として、一致した前記第２の収容位置情報と組をなす内線番号を用いる処理部と、
を備えた交換機。
【請求項６】
第１の電話機が接続される中継器における、前記第１の電話機の第１の収容位置情報と、前記第１の電話機の第１の電話機識別情報とを含む登録要求を受ける通信インタフェースと、
複数の第２の電話機のそれぞれについて、少なくとも第２の電話機識別情報、前記中継器に接続された第２の電話機の第２の収容位置情報、及び内線番号を一組にして管理する管理テーブルと、
前記登録要求があった場合に、前記第１の電話機識別情報及び前記第１の収容位置情報に基づいて前記管理テーブルを検索し、前記第１の電話機識別情報が前記管理テーブルに登録されたいずれかの第２の電話機識別情報と一致し、かつ前記第１の収容位置情報が、一致した第２の電話機識別情報と組をなす第２の収容位置情報と一致しない場合は、前記管理テーブルにおいて、一致した前記第２の電話機識別情報と組をなす第２の収容位置情報を前記第１の収容位置情報に変更し、前記第１の電話機の内線番号として、一致した前記第２の電話機識別情報と組をなす内線番号を用いる処理部と、
を備えた交換機。
【請求項７】
交換機としてのコンピュータに、
第１の電話機が接続される中継器における、前記第１の電話機の第１の収容位置情報と、前記第１の電話機の第１の電話機識別情報とを含む登録要求を受ける手順と、
複数の第２の電話機のそれぞれについて、少なくとも第２の電話機識別情報、前記中継器に接続された第２の電話機の第２の収容位置情報、及び内線番号を一組にして管理する管理テーブルを、前記第１の電話機識別情報及び前記第１の収容位置情報に基づいて検索する手順と、
前記第１の電話機識別情報が前記管理テーブルに登録されたいずれの前記第２の電話機識別情報とも一致せず、かつ前記第１の収容位置情報が前記管理テーブルに登録されたいずれかの前記第２の収容位置情報と一致する場合は、前記管理テーブルにおいて、一致した前記第２の収容位置情報と組をなす第２の電話機識別情報を前記第１の電話機識別情報に変更し、前記第１の電話機の内線番号として、一致した前記第２の収容位置情報と組をなす内線番号を用いる手順と、
を実行させるための電話機交換用プログラム。
【請求項８】
交換機としてのコンピュータに、
第１の電話機が接続される中継器における、前記第１の電話機の第１の収容位置情報と、前記第１の電話機の第１の電話機識別情報とを含む登録要求を受ける手順と、
複数の第２の電話機のそれぞれについて、少なくとも第２の電話機識別情報、前記中継器に接続された第２の電話機の第２の収容位置情報、及び内線番号を一組にして管理する管理テーブルを、前記第１の電話機識別情報及び前記第１の収容位置情報に基づいて検索する手順と、
前記第１の電話機識別情報が前記管理テーブルに登録されたいずれかの第２の電話機識別情報と一致し、かつ前記第１の収容位置情報が、一致した第２の電話機識別情報と組をなす第２の収容位置情報と一致しない場合は、前記管理テーブルにおいて、一致した前記第２の電話機識別情報と組をなす第２の収容位置情報を前記第１の収容位置情報に変更し、前記第１の電話機の内線番号として、一致した前記第２の電話機識別情報と組をなす内線番号を用いる手順と、
を実行させるための電話機交換用プログラム。
【発明の詳細な説明】
【技術分野】
【０００１】
本発明は電話システム、交換機、電話機交換方法、電話機交換用プログラムに関わり、特に電話機の交換時のデータ移行を行う電話システム、交換機、電話機交換方法、電話機交換用プログラムに関する。
【背景技術】
【０００２】
ＩＰ電話交換システムにおいて、故障等によりＩＰ電話機を交換する際、交換前のＩＰ電話機と同じ内線番号（その他、ワンタッチボタン設定、使用する電話帳の設定、等を含む）で動作させたい場合、交換機内部で管理している内線番号とＩＰ電話機のＭＡＣアドレスの管理テーブルの情報を手動で変更する必要があった。
【０００３】
本願発明に関連する技術としては、特許文献１に、故障したシンクライアント端末を保守端末に変更する場合に、管理者ユーザが管理サーバから管理端末に送信された端末入替指示画面を介して指示することで、故障したシンクライアント端末のＩＰアドレスやホスト名等のネットワーク機器の設定を保守端末に引き継ぐことの開示がある。
【先行技術文献】
【特許文献】
【０００４】
【特許文献１】特開２０１０−１０８１６９号公報（段落００５８−００６４、００９７、０１０１等）
【発明の概要】
【発明が解決しようとする課題】
【０００５】
電話システムにおいて、電話機設置時に設置状況を手動で変更する場合には、迅速な変更が難しく、変更に手間を要することになる。
【０００６】
本発明の目的は、電話機交換を自動的に識別して自動で電話機交換に必要なデータを書き換えることができる電話システム、交換機、電話機交換方法、電話機交換用プログラムを提供することにある。
【課題を解決するための手段】
【０００７】
本発明の第１の態様（aspect）は、第１の電話機と、前記第１の電話機と接続され、接続された前記第１の電話機の第１の収容位置情報を管理する中継器と、複数の第２の電話機のそれぞれについて、少なくとも第２の電話機識別情報、前記中継器に接続された第２の電話機の第２の収容位置情報、及び内線番号を一組にして管理する管理テーブルを有する交換機と、を備え、
前記交換機は、前記第１の電話機の第１の電話機識別情報及び前記第１の収容位置情報を含む登録要求を受け、前記第１の電話機識別情報及び前記第１の収容位置情報に基づいて前記管理テーブルを検索し、前記第１の電話機識別情報が前記管理テーブルに登録されたいずれの前記第２の電話機識別情報とも一致せず、かつ前記第１の収容位置情報が前記管理テーブルに登録されたいずれかの前記第２の収容位置情報と一致する場合は、前記管理テーブルにおいて、一致した前記第２の収容位置情報と組をなす第２の電話機識別情報を前記第１の電話機識別情報に変更し、前記第１の電話機の内線番号として、一致した前記第２の収容位置情報と組をなす内線番号を用いることを特徴とする電話システムである。
【０００８】
本発明の第２の態様（aspect）は、第１の電話機と、前記第１の電話機と接続され、接続された前記第１の電話機の第１の収容位置情報を管理する中継器と、複数の第２の電話機のそれぞれについて、少なくとも第２の電話機識別情報、前記中継器に接続された第２の電話機の第２の収容位置情報、及び内線番号を一組にして管理する管理テーブルを有する交換機と、を備え、
前記交換機は、前記第１の電話機の第１の電話機識別情報及び前記第１の収容位置情報を含む登録要求を受け、前記第１の電話機識別情報及び前記第１の収容位置情報に基づいて前記管理テーブルを検索し、前記第１の電話機識別情報が前記管理テーブルに登録されたいずれかの第２の電話機識別情報と一致し、かつ前記第１の収容位置情報が、一致した第２の電話機識別情報と組をなす第２の収容位置情報と一致しない場合は、前記管理テーブルにおいて、一致した前記第２の電話機識別情報と組をなす第２の収容位置情報を前記第１の収容位置情報に変更し、前記第１の電話機の内線番号として、一致した前記第２の電話機識別情報と組をなす内線番号を用いることを特徴とする電話システムである。
【０００９】
本発明の第３の態様（aspect）は、第１の電話機が接続される中継器における、前記第１の電話機の第１の収容位置情報と、前記第１の電話機の第１の電話機識別情報とを含む登録要求を受ける通信インタフェースと、
複数の第２の電話機のそれぞれについて、少なくとも第２の電話機識別情報、前記中継器に接続された第２の電話機の第２の収容位置情報、及び内線番号を一組にして管理する管理テーブルと、
前記登録要求があった場合に、前記第１の電話機識別情報及び前記第１の収容位置情報に基づいて前記管理テーブルを検索し、前記第１の電話機識別情報が前記管理テーブルに登録されたいずれの前記第２の電話機識別情報とも一致せず、かつ前記第１の収容位置情報が前記管理テーブルに登録されたいずれかの前記第２の収容位置情報と一致する場合は、前記管理テーブルにおいて、一致した前記第２の収容位置情報と組をなす第２の電話機識別情報を前記第１の電話機識別情報に変更し、前記第１の電話機の内線番号として、一致した前記第２の収容位置情報と組をなす内線番号を用いる処理部と、を備えた交換機である。
【００１０】
本発明の第４の態様（aspect）は、第１の電話機が接続される中継器における、前記第１の電話機の第１の収容位置情報と、前記第１の電話機の第１の電話機識別情報とを含む登録要求を受ける通信インタフェースと、
複数の第２の電話機のそれぞれについて、少なくとも第２の電話機識別情報、前記中継器に接続された第２の電話機の第２の収容位置情報、及び内線番号を一組にして管理する管理テーブルと、
前記登録要求があった場合に、前記第１の電話機識別情報及び前記第１の収容位置情報に基づいて前記管理テーブルを検索し、前記第１の電話機識別情報が前記管理テーブルに登録されたいずれかの第２の電話機識別情報と一致し、かつ前記第１の収容位置情報が、一致した第２の電話機識別情報と組をなす第２の収容位置情報と一致しない場合は、前記管理テーブルにおいて、一致した前記第２の電話機識別情報と組をなす第２の収容位置情報を前記第１の収容位置情報に変更し、前記第１の電話機の内線番号として、一致した前記第２の電話機識別情報と組をなす内線番号を用いる処理部と、を備えた交換機である。
【００１１】
本発明の第５及び６の態様（aspect）は、上記第１及び第２の態様の電話システムの交換機の電話機交換方法である。
【００１２】
本発明の第７及び８の態様（aspect）は、上記第１及び第２の態様の電話システムの交換機としてのコンピュータの電話機交換用プログラムである。
【発明の効果】
【００１３】
本発明によれば、電話機から通知される電話機識別情報と収容位置情報をもとに電話機設置状況を判定して、電話機交換判定時に自動でデータ移行するができ、電話機交換に伴う交換機内部の手動での設定変更が不要となる。
【図面の簡単な説明】
【００１４】
【図１】本発明の一実施形態の電話システムの構成を示すブロック図である。
【図２】交換機の一構成例を示すブロック図である。
【図３】電話機管理テーブルの一例を示す図である。
【図４】ＩＰ電話機の一構成例を示すブロック図である。
【図５】ＩＰ電話機交換のシーケンス図である。
【図６】電話機設置状況判定のフローチャートである。
【図７】データ移行のフローを示すフローチャートである。
【図８】ＩＰ電話機に表示される画面を示す図である。
【発明を実施するための形態】
【００１５】
以下、本発明の一実施形態について図面を用いて詳細に説明する。
【００１６】
図１に示す本発明の一実施形態の電話システムは、ＶｏＩＰ（Voice over Internet Protocol）技術を採用したもので、交換機１０、ＩＰ電話機２０Ａ−１〜２０Ａ−ｎと２０Ｂ−１〜２０Ｂ−ｎ（ｎは自然数）、スイッチングハブ３０Ａと３０Ｂ、を備えており、それぞれＬＡＮ回線４０で接続されている。スイッチングハブ３０Ａと３０Ｂは中継器となる。
【００１７】
スイッチングハブ３０ＡにはＩＰ電話機２０Ａ−１〜２０Ａ−ｎが接続され、スイッチングハブ３０ＡはＩＰ電話機２０Ａ−１〜２０Ａ−ｎが接続されるポートのポート番号を自身の識別ＩＤとともに収容位置情報として管理する。スイッチングハブ３０ＢにはＩＰ電話機２０Ｂ−１〜２０Ｂ−ｎが接続され、スイッチングハブ３０ＢはＩＰ電話機２０Ｂ−１〜２０Ｂ−ｎが接続されるポートのポート番号を自身の識別ＩＤとともに収容位置情報として管理する。これらの収納位置管理情報は第１の収納位置管理情報となる。
【００１８】
ＩＰ電話機２０Ａ−１〜２０Ａ−ｎ、２０Ｂ−１〜２０Ｂ−ｎのそれぞれは、交換機１０への登録処理において、自身の電話機識別情報（第１の電話機識別情報となる）とスイッチングハブ３０Ａ又は３０Ｂから取得した収容位置情報（第１の電話機の第１の収納位置情報となる）を交換機１０に通知する。交換機１０は、ＩＰ電話機２０Ａ−１〜２０Ａ−ｎ、２０Ｂ−１〜２０Ｂ−ｎのそれぞれから通知された電話機識別情報と収容位置情報に基づいて、それぞれ管理テーブルとなる電話機管理テーブルに既に登録された電話機識別情報と収容位置情報（第２の電話機の第２の電話機識別情報と第２の収容位置情報となる）を検索して電話機の設置状況を判定する。この電話機設置状況の判定処理については図５及び図６を用いて詳細に後述する。
【００１９】
交換機１０は、例えば図２に示すように、制御装置１０１と通信インタフェース１０２とを有し、通信インタフェース１０２は制御装置１０１によって制御される。制御装置１０１は、メモリ１０３、電話機交換判定処理部１０４、データ移行処理部１０５を備えている。さらに、タイマをデータ移行処理部１０５に又はデータ移行処理部１０５とは別に設けてもよい。ここでは、制御装置１０１は電話機交換処理を行うための処理部が示されているが、その他の処理部を備えていてもよい。例えば、交換機１０は公衆電話回線を通して外部電話機と接続する電話交換処理を行うが、制御装置１０１はその電話交換処理を行うための処理部を備えていてもよい。電話機交換判定処理部１０４は電話機識別情報と収容位置情報から電話機の設置状況を判定する処理を行い、その処理の詳細は図６を用いて後述する。データ移行処理部１０５はユーザにデータ移行の可否を行う処理を行い、その処理の詳細は図７を用いて後述する。
【００２０】
メモリ１０３には、例えば図３に示すように、電話機を識別するための電話機識別情報（例えばＭＡＣアドレス）と電話機の収容位置情報（スイッチングハブ識別ＩＤとポート番号）と電話機に紐付く情報（内線番号など）の電話機管理テーブルが格納されている。制御装置１０１に実装された電話機設置状況判定処理部１０４は、ＩＰ電話機２０から受信した電話機識別情報、収容位置情報と、メモリ１０３の電話機管理テーブルとを参照して電話機設置状況を判定し、設置状態に応じた処理を行なう。
【００２１】
図３は、ＩＰ電話機の交換前とＩＰ電話機の交換後の電話機管理テーブルの例を示している。ここではスイッチングハブ３０Ａとそれに接続されるＩＰ電話機に関する電話機管理テーブルが示されているが、交換機１０のメモリ１０３はスイッチングハブ３０Ｂとそれに接続されるＩＰ電話機に関する電話機管理テーブルも保持している。電話機管理テーブルは、少なくとも電話機識別情報、収容位置情報、及び内線番号が一組となるように管理されている。図３では備考も一組となるように管理されている。
【００２２】
ＩＰ電話機の交換前の電話機管理テーブルには、ＩＰ電話機２０Ａ−１、２０Ａ−２、２０Ａ−３のそれぞれの電話機識別情報（第２の電話機識別情報となる）としてＭＡＣアドレスＡ、Ｂ、Ｃが登録され、ＩＰ電話機２０Ａ−１、２０Ａ−２、２０Ａ−３のそれぞれの収容位置情報（第２の収容位置情報となる）としてスイッチハブ３０Ａの識別ＩＤの「Ａ」とＩＰ電話機２０Ａ−１、２０Ａ−２、２０Ａ−３がそれぞれ接続されるポート番号Ｘ、Ｙ、Ｚが登録され、ＩＰ電話機２０Ａ−１、２０Ａ−２、２０Ａ−３のそれぞれの内線番号として２００、２０１、２０２が登録されている。ＩＰ電話機の交換後の電話機管理テーブルには、図１に示されたＩＰ電話機とは別の新たなＩＰ電話２０ＣがＩＰ電話機２０Ａ−１と交換されて登録されている。ＩＰ電話機の交換後の電話機管理テーブルでは、ＩＰ電話機２０Ａ−１の電話機識別情報のＭＡＣアドレスＡがＩＰ電話機２０Ｃの電話機識別情報のＭＡＣアドレスＤに書き換えられており、備考欄に「電話機２０Ａ−１のデータを引き継ぐ」と登録されている。
【００２３】
電話機交換判定処理部１０４、データ移行処理部１０５は集積回路等のハードウェアで構成されている。集積回路は、ＬＳＩ（Large Scale Integrated circuit）、ＡＳＩＣ（Application Specific Integrated Circuit）、ゲートアレイ、ＦＰＧＡ（Field Programmable Gate Array）等である。集積回路で構成される場合、電話機交換判定処理部１０４、データ移行処理部１０５は、電話機交換判定処理回路、データ移行処理回路となる。タイマをデータ移行処理回路に又はデータ移行処理回路とは別に設けてもよい。電話機交換判定処理部１０４、データ移行処理部１０５はソフトウェアで実現することができ、その場合には、制御装置１０１は、あらかじめ電話機交換判定処理部１０４、データ移行処理部１０５の動作を記述した制御プログラムの命令の読み出し・解読・実行を行うＣＰＵ  （Central Processing Unit）と、その制御プログラムを格納するメモリ（ＲＯＭ又はＲＡＭ）又はハードディスクと、ＣＰＵの演算処理に必要なデータを保持するメモリ（ＲＡＭ）とを備える。ＣＰＵの演算処理に必要なデータを保持するメモリ（ＲＡＭ）はメモリ１０３の一部を用いていもよい。タイマを設ける場合は、タイマの機能をデータ移行処理部１０５の動作を記述した制御プログラム又は別なプログラムで実現することができるが、回路等のハードウェアで構成されてもよい。
【００２４】
ＩＰ電話機２０Ａ−１〜２０Ａ−ｎと２０Ｂ−１〜２０Ｂ−ｎのそれぞれは、例えば図４に示すように、制御装置２０１と通信インタフェース２０２を有し、通信インタフェース２０２は制御装置２０１によって制御される。なお、図４ではＩＰ電話機２０Ａ−１の構成のみを示しているが、ＩＰ電話機２０Ａ−２〜２０Ａ−ｎと２０Ｂ−１〜２０Ｂ−ｎのそれぞれも同じ構成である。制御装置２０１は、ＩＰ電話機２０Ａ−１が接続されるスイッチハブ３０Ａに収容位置情報（スイッチングハブ識別ＩＤとポート番号）を要求して、収容位置情報を取得し、交換機１０に対して自身の電話機識別情報と収容位置情報とを通知し、登録要求を行う登録要求処理部２０３と、自身の電話機識別情報（例えばＭＡＣアドレス）と電話機の収容位置情報（スイッチングハブ識別ＩＤとポート番号）を記憶するメモリ２０４とを備えている。ここでは、制御装置２０１は登録要求処理部が示されているが、その他の処理部を備えていてもよい。例えば、ＩＰ電話機２０Ａ−１は内線又は公衆電話回線を通して他のＩＰ電話機と通話を行うが、制御装置２０１はその通話処理を行うための処理部を備えていてもよい。
【００２５】
登録要求処理部２０３は集積回路等のハードウェアで構成されている。集積回路で構成される場合、登録要求処理部２０３は、登録要求処理回路となる。登録要求処理部２０３ソフトウェアで実現することができ、その場合には、制御装置２０１は、あらかじめ登録要求処理部２０３の動作を記述した制御プログラムの命令の読み出し・解読・実行を行うＣＰＵ（Central Processing Unit）と、その制御プログラムを格納するメモリ（ＲＯＭ又はＲＡＭ）又はハードディスクと、ＣＰＵの演算処理に必要なデータを保持するメモリ（ＲＡＭ）とを備える。ＣＰＵの演算処理に必要なデータを保持するメモリ（ＲＡＭ）はメモリ２０４の一部を用いていもよい。
【００２６】
制御装置２０１は、接続されているネットワーク機器から収容位置を一意に特定できる情報（スイッチングハブ識別ＩＤとポート番号）をＬＬＤＰ（Link Layer Discovery Protocol）等により取得する機能を有している。
【００２７】
スイッチングハブ３０Ａ及び３０Ｂはそれぞれ、接続されているネットワーク機器に対して収容位置を一意に特定できる情報（スイッチングハブ識別ＩＤとポート番号）をＬＬＤＰ等により通知する機能を有している。
（動作の説明）
図５はＩＰ電話機交換のシーケンス図である。図６は電話機設置状況判定のフローチャートである。図７はデータ移行のフローを示すフローチャートである。ここでは、一例として、交換機１０、スイッチングハブ３０Ａ、ＩＰ電話機２０Ａ−１，２０Ｃとの間のＩＰ電話機交換のシーケンスの場合について説明する。
【００２８】
図５に示すように、まず、ＩＰ電話機２０Ａ−１がスイッチングハブ３０ＡのポートＸに新たに接続されるとする。ＩＰ電話機２０Ａ−１の接続以前には、ポートＸには他のＩＰ電話機が接続されておらず、またＩＰ電話機２０Ａ−１は他のポートに接続されていなかったものとする。
【００２９】
その後、ＩＰ電話機２０Ａ−１が起動し、起動時に接続されているスイッチングハブ３０ＡにＬＬＤＰ等を使用して収容位置情報（スイッチングハブ識別ＩＤとポート番号）を要求し、スイッチングハブ３０ＡからＬＬＤＰ等を使用して収容位置情報を取得する（ステップＳ１１）。収容位置情報を取得したＩＰ電話機２０Ａ−１は、交換機１０への登録処理において、交換機１０に対して自身の電話機識別情報（第１の電話機識別情報となる）と収容位置情報（第１の収容位置情報となる）とを通知し、登録要求を行う（ステップＳ１２）。
【００３０】
交換機１０は、ＩＰ電話機２０Ａ−１からの登録要求で通知された電話機識別情報と収容位置情報に基づいて電話機管理テーブル（管理テーブルとなる）を検索し、電話機識別情報、収容位置情報及び電話機管理テーブルの情報から電話機設置状況を判定する（ステップＳ１３）。交換機１０の電話機設置状況判定処理について図６を用いて説明する。
【００３１】
交換機１０は登録要求の電話機識別情報が電話機管理テーブルにあるか否か（登録要求の電話機識別情報が電話機管理テーブルのいずれかの電話機識別情報と一致するかどうか）を判断する（ステップＳ１０１）。ＩＰ電話機２０Ａ−１は新たに接続された電話機であるため、電話機管理テーブルになく（ステップＳ１０１の「なし」）、次に、登録要求の収容位置情報が電話機管理テーブルにあるか否か（登録要求の収容位置情報が電話機管理テーブルのいずれかの収容位置情報と一致するかどうか）を判断する（ステップＳ１０２）。ポートＸにはＩＰ電話機が接続されていなかったので、電話機管理テーブルにないと判断される（ステップＳ１０２の「なし」）。そして、電話機管理テーブルにＩＰ電話機２０Ａ−１の電話機識別情報（ＭＡＣアドレスＡ等）とスイッチングハブ３０ＡのポートＸの収容位置情報と新たな内線番号が登録され、新規にデータが作成される必要があると判断する。こうして、ＩＰ電話機の増設の判断が行われる（ステップＳ１０３）。Ｐ電話機の増設の判断が行った後にユーザに電話機管理テーブルへの登録の実行確認を行ってもよい。この実行確認は、後述するステップＳ２４からステップＳ２７までの処理（図７を用いて説明する実行確認処理）と同様に行うことができる。ＩＰ電話機２０Ａ−１が増設されたときの電話機管理テーブルが図３の電話機交換前の電話機識別テーブルとなる。図３では既にＩＰ電話機２０Ａ−１、２０Ａ−２、２０Ａ−３が登録されていたものとしている。
【００３２】
その後、図５に示すように、ＩＰ電話機２０Ａ−１が故障したためポートＸから取り外され、換わりに他のポートに接続されていなかった新たなＩＰ電話機２０Ｃがスイッチングハブ３０ＡのポートＸに接続され、ＩＰ電話機２０Ａ−１と交換される。
【００３３】
その後、ＩＰ電話機２０Ｃが起動し、起動時に接続されているスイッチングハブ３０ＡにＬＬＤＰ等を使用して収容位置情報（スイッチングハブ識別ＩＤとポート番号）を要求し、スイッチングハブ３０ＡからＬＬＤＰ等を使用して収容位置情報を取得する（ステップＳ２１）。収容位置情報を取得したＩＰ電話機２０Ｃは、交換機１０への登録処理において、交換機１０に対して電話機識別情報と収容位置情報を通知し、登録要求を行う（ステップＳ２２）。
【００３４】
交換機１０は、ＩＰ電話機２０Ｃからの登録要求で通知された電話機識別情報と収容位置情報に基づいて電話機管理テーブル（管理テーブルとなる）を検索し、電話機識別情報、収容位置情報及び電話機管理テーブルの情報から電話機設置状況を判定する。交換機１０の電話機設置状況判定処理について図６を用いて説明する。
【００３５】
交換機１０は登録要求の電話機識別情報が電話機管理テーブルにあるか否か（登録要求の電話機識別情報が電話機管理テーブルのいずれかの電話機識別情報と一致するかどうか）を判断する（ステップＳ１０１）。ＩＰ電話機２０Ｃは新たに接続された電話機であるため、電話機管理テーブルになく（ステップＳ１０１の「なし」）、次に、登録要求の収容位置情報が電話機管理テーブルにあるか否か（登録要求の収容位置情報が電話機管理テーブルのいずれかの収容位置情報と一致するかどうか）を判断する（ステップＳ１０２）。ポートＸにはＩＰ電話機２０Ａ−１が接続されていたので、登録要求の収容位置情報が電話機管理テーブルにあると判断される（ステップＳ１０２の「あり」）。そして、電話機管理テーブルにおいて、スイッチングハブ３０ＡのポートＸの収容位置情報と組になるＩＰ電話機の電話機識別情報がＩＰ電話機２０Ａ−１からＩＰ電話機２０Ｃに変更されるべき（ＭＡＣアドレスがＡからＤへ変更されるべき）と判断、すなわち、管理テーブルにおいてＩＰ電話機の交換がされるべきと判断する。この場合、内線番号はポートＸと組をなす内線番号２００が用いられ、ＩＰ電話機２０Ａ−１に付与されていた内線番号２００が新たなＩＰ電話機２０Ｃに付与されることになる。
【００３６】
交換機１０はステップＳ２３において電話機交換と判断した場合、ＩＰ電話機２０Ｃに対してデータ移行実行確認を通知する（ステップＳ２４）。
【００３７】
ＩＰ電話機２０Ｃは、交換機１０からデータ移行実行確認を受信した場合、例えば図８で示すような画面を表示して、ユーザにデータ移行を実行するかどうかを選択させる（ステップＳ２５）。
【００３８】
ＩＰ電話機２０ＣはステップＳ２６において、ユーザから入力された結果をデータ移行選択結果で交換機１０に通知する。
【００３９】
交換機１０はＩＰ電話機２０Ｃからデータ移行選択結果でデータ移行実行が通知された場合、データ移行を行う（ステップＳ２７）。
【００４０】
交換機１０のデータ移行実行確認を通知するステップＳ２４からデータ移行処理を行うステップＳ２７までの処理を図７のフローチャートに示す。
【００４１】
交換機１０はＩＰ電話機２０Ｃへデータ移行実行確認を通知し（ステップＳ２０１）、結果待ちタイマを開始する（ステップＳ２０２）。
【００４２】
一定の待ち時間内にデータ移行選択結果の通知を受けたか否かを判断し（ステップＳ２０３）、受信した場合には選択結果がデータ移行実行であるかデータ移行キャンセルであるかを判断する（ステップＳ２０４）。選択結果がデータ移行実行である場合には、スイッチングハブ３０ＡのポートＸの収容位置情報のＩＰ電話機の電話機識別情報がＩＰ電話機２０Ａ−１からＩＰ電話機２０Ｃに書き換えられ（ＭＡＣアドレスがＡからＤへ書き換えられ）、電話機識別情報が更新される（ステップＳ２０５）。
【００４３】
ステップＳ２０３において、一定の待ち時間内にデータ移行選択結果の通知を受けない場合には（ステップＳ２０３の「未受信」）、スイッチングハブ３０ＡのポートＸの収容位置情報のＩＰ電話機の電話機識別情報がＩＰ電話機２０Ａ−１からＩＰ電話機２０Ｃに書き換えられ（ＭＡＣアドレスがＡからＤへ書き換えられ）、電話機識別情報が更新される（ステップＳ２０６）。この場合、内線番号はＩＰ電話機２０Ａ−１で用いられていた内線番号がＩＰ電話機２０Ｃに引き継がれる。
【００４４】
ステップＳ２０４において、データ移行キャンセルである場合には処理を終了する。
【００４５】
なお、ＩＰ電話機２０Ａ−１の故障が修理されて回復した場合、故障による交換ではない場合等であって、取り外されたＩＰ電話機２０Ａ−１が他のポートに接続されて、登録要求が交換機１０にされた場合について図６を用いて説明する。交換機１０は、電話機管理テーブルのＩＰ電話機２０Ａ−１の電話機識別情報がＩＰ電話機２０Ｃの電話機識別情報に書き換えられているために、登録要求の電話機識別情報が電話機管理テーブルにないと判断し（ステップＳ１０１の「なし」）、登録要求の収容位置が電話機管理テーブルにあるか否かを判断し、ステップＳ１０３又はＳ１０４に進む。他のポートと組になる電話機識別情報はＩＰ電話機２０Ａ−１の電話機識別情報（ＭＡＣアドレスＡ）とされ、ＩＰ電話機２０Ａ−１の内線番号はステップＳ１０３の場合は新しい内線番号、ステップＳ１０４の場合は当該他のポートと組をなす内線番号が付与されることになる。ＩＰ電話機２０Ａ−１が今まで使用していた内線番号はＩＰ電話機２０Ｃで使用中であるため使用できない。
【００４６】
上記の説明においては、ＩＰ電話機２０Ａ−１が故障したときに、換わりに他のポートに接続されていなかった新たなＩＰ電話機２０Ｃで交換したが、換わりに他のポートＺに接続されていた、ＩＰ電話機２０Ａ−３と交換される場合について説明する。
【００４７】
この場合は、ＩＰ電話機２０Ａ−３がスイッチングハブ３０ＡのポートＺから取り外され、ポートＸに接続される。スイッチングハブ３０Ａに対する収容位置情報の要求から交換機１０の電話機設置状況判定処理までは、図５を用いて説明した、ＩＰ電話機２０Ａ−１を新たなＩＰ電話機２０Ｃと交換する場合と同様である。
【００４８】
図６に示すように、交換機１０はＩＰ電話機２０Ａ−３の電話機識別情報（第１の電話機識別情報となる）と収容位置情報（第１の収容位置情報となる）を受けると、その電話機識別情報と収容位置情報に基づいて電話機管理テーブル（管理テーブルとなる）を検索し、登録要求の電話機識別情報が電話機管理テーブルにあるか否か（登録要求の電話機識別情報が電話機管理テーブルのいずれかの電話機識別情報と一致するかどうか）を判断する（ステップＳ１０１）。ＩＰ電話機２０Ａ−３は他のポートＺに接続されていたため、登録要求の電話機識別情報が電話機管理テーブルにあると判断される（ステップＳ１０２の「あり」）。次に交換機１０は登録要求のＩＰ電話機２０Ａ−３の収納位置情報が電話機管理テーブル内のデータと一致するか否かを判断する（ステップＳ１０５）。電話機管理テーブルでは、ＩＰ電話機２０Ａ−３はポートＺに登録されているとされているため、不一致と判断される（ステップＳ１０５の「不一致」）。電話機２０Ａ−３の収容位置情報のポート番号をＺからＸに変えるべきと判断する（ステップＳ１０６）。この場合、登録されていたＩＰ電話機２０Ａ−１のポート番号Ｘと重複するので、登録されていたＩＰ電話機２０Ａ−１のポート番号のＸを削除すべきと判断する。内線番号はＩＰ電話機２０Ａ−３が他のポートＺに接続されていたときの内線番号２０２が用いられることになる。交換機１０のデータ移行実行確認を通知するステップＳ２４からデータ移行処理を行うステップＳ２７までの処理は既に図７を用いて説明した処理と同じである。
【００４９】
なお、ＩＰ電話機２０Ａ−３が取り外されたスイッチングハブ３０Ａの他のポートＺに新たなＩＰ電話機２０Ｄが接続されて、登録要求が交換機１０にされた場合について図６を用いて説明する。交換機１０は、登録要求のＩＰ電話機２０Ｄの電話機識別情報が電話機管理テーブルにないと判断し（ステップＳ１０１の「なし」）、登録要求の収容位置が電話機管理テーブルにあるか否かを判断し、登録されていたＩＰ電話機２０Ａ−３のポート番号はＺからＸに変えているので、登録要求の収容位置情報が電話機管理テーブルにないと判断し、ステップＳ１０３に進む。内線番号は新しい内線番号が付与されることになる。ＩＰ電話機２０Ａ−３が今までポートＺで使用していた内線番号はポートＸで使用中であるため使用できない。
【００５０】
以上説明した電話システムにおける電話機交換における電話機管理テーブルの登録、書き換えは以下にようになる。
【００５１】
（１）未接続のポート（スイッチングハブ等の中継器のポート）に、新規のＩＰ電話機が接続された場合（新設）、該ＩＰ電話機のＭＡＣアドレスを収容位置情報（中継器識別ＩＤ及びポート番号）と共に登録し、新規の内線番号を該ＩＰ電話機に付与する。
【００５２】
（２）既接続のＩＰ電話機が取り外され、異なるポートに接続された場合（移設）、今まで付与されていた内線番号を該ＩＰ電話機に継続して付与する（収容位置情報を更新する）。
【００５３】
（３）既接続のＩＰ電話機が取り外されたポートに、新規のＩＰ電話機が接続された場合（交換）、新規ＩＰ電話機のＭＡＣアドレスを収容位置情報と共に登録し、今まで接続されていたＩＰ電話機に付与されていた内線番号を新規ＩＰ電話機に付与する。
【００５４】
（４）上記（３）で取り外されたＩＰ電話機が他のポートに接続された場合、今まで使用していた内線番号は上記（３）で取り付けられた他ＩＰ電話機で使用中であるため、新しい内線番号又は他のポートと組になる内線番号を付与する（収容位置情報も更新する）。
【００５５】
（５）上記（２）のＩＰ電話機が取り外されたポートに、新規のＩＰ電話機が接続された場合、ＭＡＣアドレス情報を収容位置情報と共に登録し、新規内線番号を該新規ＩＰ電話機に付与する（今までの内線番号は別のポートに移設されたＩＰ電話機で使用されている）。
【００５６】
本発明の電話機交換用プログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えば、フレキシブルディスク、磁気テープ、ハードディスクドライブ）、光磁気記録媒体（例えば、光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（random access memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００５７】
以上、本発明の好適な実施形態の構成を説明した。しかし、かかる実施形態は、本発明の単なる例示に過ぎず、何ら本発明を限定するものではないことに留意されたい。本発明の要旨を逸脱することなく、特定用途に応じて種々の変形変更が可能であることが、当業者には容易に理解できよう。
【００５８】
上記の実施の形態の一部又は全部は、以下の付記のようにも記載されうるが、以下の構成には限られない。
【００５９】
（付記１）
第１の電話機と、
前記第１の電話機と接続され、接続された前記第１の電話機の第１の収容位置情報を管理する中継器と、
複数の第２の電話機のそれぞれについて、少なくとも第２の電話機識別情報、前記中継器に接続された第２の電話機の第２の収容位置情報、及び内線番号を一組にして管理する管理テーブルを有する交換機と、を備え、
前記交換機は、前記第１の電話機の第１の電話機識別情報及び前記第１の収容位置情報を含む登録要求を受け、前記第１の電話機識別情報及び前記第１の収容位置情報に基づいて前記管理テーブルを検索し、前記第１の電話機識別情報が前記管理テーブルに登録されたいずれの前記第２の電話機識別情報とも一致せず、かつ前記第１の収容位置情報が前記管理テーブルに登録されたいずれかの前記第２の収容位置情報と一致する場合は、前記管理テーブルにおいて、一致した前記第２の収容位置情報と組をなす第２の電話機識別情報を前記第１の電話機識別情報に変更し、前記第１の電話機の内線番号として、一致した前記第２の収容位置情報と組をなす内線番号を用いることを特徴とする電話システム。
【００６０】
（付記２）
第１の電話機と、
前記第１の電話機と接続され、接続された前記第１の電話機の第１の収容位置情報を管理する中継器と、
複数の第２の電話機のそれぞれについて、少なくとも第２の電話機識別情報、前記中継器に接続された第２の電話機の第２の収容位置情報、及び内線番号を一組にして管理する管理テーブルを有する交換機と、を備え、
前記交換機は、前記第１の電話機の第１の電話機識別情報及び前記第１の収容位置情報を含む登録要求を受け、前記第１の電話機識別情報及び前記第１の収容位置情報に基づいて前記管理テーブルを検索し、前記第１の電話機識別情報が前記管理テーブルに登録されたいずれかの第２の電話機識別情報と一致し、かつ前記第１の収容位置情報が、一致した第２の電話機識別情報と組をなす第２の収容位置情報と一致しない場合は、前記管理テーブルにおいて、一致した前記第２の電話機識別情報と組をなす第２の収容位置情報を前記第１の収容位置情報に変更し、前記第１の電話機の内線番号として、一致した前記第２の電話機識別情報と組をなす内線番号を用いることを特徴とする電話システム。
【００６１】
（付記３）
第１の電話機と、
前記第１の電話機と接続され、接続された前記第１の電話機の第１の収容位置情報を管理する中継器と、
複数の第２の電話機のそれぞれについて、少なくとも第２の電話機識別情報、前記中継器に接続された第２の電話機の第２の収容位置情報、及び内線番号を一組にして管理する管理テーブルを有する交換機と、を備え、
前記交換機は、前記第１の電話機の第１の電話機識別情報及び前記第１の収容位置情報を含む登録要求を受け、前記第１の電話機識別情報及び前記第１の収容位置情報に基づいて前記管理テーブルを検索し、
前記交換機は、前記第１の電話機識別情報が前記管理テーブルに登録されたいずれの前記第２の電話機識別情報とも一致せず、かつ前記第１の収容位置情報が前記管理テーブルに登録されたいずれかの前記第２の収容位置情報と一致する場合は、前記管理テーブルにおいて、一致した前記第２の収容位置情報と組をなす第２の電話機識別情報を前記第１の電話機識別情報に変更し、前記第１の電話機の内線番号として、一致した前記第２の収容位置情報と組をなす内線番号を用い、
前記交換機は、前記第１の電話機識別情報が前記管理テーブルに登録されたいずれかの第２の電話機識別情報と一致し、かつ前記第１の収容位置情報が、一致した第２の電話機識別情報と組をなす第２の収容位置情報と一致しない場合は、前記管理テーブルにおいて、一致した前記第２の電話機識別情報と組をなす第２の収容位置情報を前記第１の収容位置情報に変更し、前記第１の電話機の内線番号として、一致した前記第２の電話機識別情報と組をなす内線番号を用いることを特徴とする電話システム。
【００６２】
（付記４）
一致した前記第２の収容位置情報と組をなす第２の電話機識別情報を前記第１の電話機識別情報に変更する前に、前記第１の電話機にデータ移行の実行確認通知を行い、データ移行の実行の応答を受けた場合に、前記第２の電話機識別情報を前記第１の電話機識別情報に変更することを特徴とする付記１又は３に記載の電話システム。
【００６３】
（付記５）
一致した前記第２の電話機識別情報と組をなす第２の収容位置情報を前記第１の収容位置情報に変更する前に、前記第１の電話機にデータ移行の実行確認通知を行い、データ移行の実行の応答を受けた場合に、前記第２の収容位置情報を前記第１の収容位置情報に変更することを特徴とする付記２又は３に記載の電話システム。
【００６４】
（付記６）
第１の電話機と、
前記第１の電話機と接続され、接続された前記第１の電話機の第１の収容位置情報を管理する中継器と、
複数の第２の電話機のそれぞれについて、少なくとも第２の電話機識別情報、前記中継器に接続された第２の電話機の第２の収容位置情報、及び内線番号を一組にして管理する管理テーブルを有する交換機と、を備えた電話システムの交換機の電話機交換方法であって、
前記交換機は、
前記第１の電話機の第１の電話機識別情報及び前記第１の収容位置情報を含む登録要求を受け、
前記第１の電話機識別情報及び前記第１の収容位置情報に基づいて前記管理テーブルを検索し、
前記第１の電話機識別情報が前記管理テーブルに登録されたいずれの前記第２の電話機識別情報とも一致せず、かつ前記第１の収容位置情報が前記管理テーブルに登録されたいずれかの前記第２の収容位置情報と一致する場合は、前記管理テーブルにおいて、一致した前記第２の収容位置情報と組をなす第２の電話機識別情報を前記第１の電話機識別情報に変更し、前記第１の電話機の内線番号として、一致した前記第２の収容位置情報と組をなす内線番号を用いることを特徴とする電話機交換方法。
【００６５】
（付記７）
第１の電話機と、
前記第１の電話機と接続され、接続された前記第１の電話機の第１の収容位置情報を管理する中継器と、
複数の第２の電話機のそれぞれについて、少なくとも第２の電話機識別情報、前記中継器に接続された第２の電話機の第２の収容位置情報、及び内線番号を一組にして管理する管理テーブルを有する交換機と、を備えた電話システムの交換機の電話機交換方法であって、
前記交換機は、
前記第１の電話機の第１の電話機識別情報及び前記第１の収容位置情報を含む登録要求を受け、
前記第１の電話機識別情報及び前記第１の収容位置情報に基づいて前記管理テーブルを検索し、
前記第１の電話機識別情報が前記管理テーブルに登録されたいずれかの第２の電話機識別情報と一致し、かつ前記第１の収容位置情報が、一致した第２の電話機識別情報と組をなす第２の収容位置情報と一致しない場合は、前記管理テーブルにおいて、一致した前記第２の電話機識別情報と組をなす第２の収容位置情報を前記第１の収容位置情報に変更し、前記第１の電話機の内線番号として、一致した前記第２の電話機識別情報と組をなす内線番号を用いることを特徴とする電話機交換方法。
【００６６】
（付記８）
第１の電話機と、
前記第１の電話機と接続され、接続された前記第１の電話機の第１の収容位置情報を管理する中継器と、
複数の第２の電話機のそれぞれについて、少なくとも第２の電話機識別情報、前記中継器に接続された第２の電話機の第２の収容位置情報、及び内線番号を一組にして管理する管理テーブルを有する交換機と、を備えた電話システムの交換機の電話機交換方法であって、
前記交換機は、
前記第１の電話機の第１の電話機識別情報及び前記第１の収容位置情報を含む登録要求を受け、
前記第１の電話機識別情報及び前記第１の収容位置情報に基づいて前記管理テーブルを検索し、
前記第１の電話機識別情報が前記管理テーブルに登録されたいずれの前記第２の電話機識別情報とも一致せず、かつ前記第１の収容位置情報が前記管理テーブルに登録されたいずれかの前記第２の収容位置情報と一致する場合は、前記管理テーブルにおいて、一致した前記第２の収容位置情報と組をなす第２の電話機識別情報を前記第１の電話機識別情報に変更し、前記第１の電話機の内線番号として、一致した前記第２の収容位置情報と組をなす内線番号を用い、
前記第１の電話機識別情報が前記管理テーブルに登録されたいずれかの第２の電話機識別情報と一致し、かつ前記第１の収容位置情報が、一致した第２の電話機識別情報と組をなす第２の収容位置情報と一致しない場合は、前記管理テーブルにおいて、一致した前記第２の電話機識別情報と組をなす第２の収容位置情報を前記第１の収容位置情報に変更し、前記第１の電話機の内線番号として、一致した前記第２の電話機識別情報と組をなす内線番号を用いることを特徴とする電話機交換方法。
【００６７】
（付記９）
一致した前記第２の収容位置情報と組をなす第２の電話機識別情報を前記第１の電話機識別情報に変更する前に、前記第１の電話機にデータ移行の実行確認通知を行い、データ移行の実行の応答を受けた場合に、前記第２の電話機識別情報を前記第１の電話機識別情報に変更することを特徴とする付記６又は８に記載の電話機交換方法。
【００６８】
（付記１０）
一致した前記第２の電話機識別情報と組をなす第２の収容位置情報を前記第１の収容位置情報に変更する前に、前記第１の電話機にデータ移行の実行確認通知を行い、データ移行の実行の応答を受けた場合に、前記第２の収容位置情報を前記第１の収容位置情報に変更することを特徴とする付記７又は８に記載の電話機交換方法。
【００６９】
（付記１１）
第１の電話機が接続される中継器における、前記第１の電話機の第１の収容位置情報と、前記第１の電話機の第１の電話機識別情報とを含む登録要求を受ける通信インタフェースと、
複数の第２の電話機のそれぞれについて、少なくとも第２の電話機識別情報、前記中継器に接続された第２の電話機の第２の収容位置情報、及び内線番号を一組にして管理する管理テーブルと、
前記登録要求があった場合に、前記第１の電話機識別情報及び前記第１の収容位置情報に基づいて前記管理テーブルを検索し、前記第１の電話機識別情報が前記管理テーブルに登録されたいずれの前記第２の電話機識別情報とも一致せず、かつ前記第１の収容位置情報が前記管理テーブルに登録されたいずれかの前記第２の収容位置情報と一致する場合は、前記管理テーブルにおいて、一致した前記第２の収容位置情報と組をなす第２の電話機識別情報を前記第１の電話機識別情報に変更し、前記第１の電話機の内線番号として、一致した前記第２の収容位置情報と組をなす内線番号を用いる処理部と、
を備えた交換機。
【００７０】
（付記１２）
第１の電話機が接続される中継器における、前記第１の電話機の第１の収容位置情報と、前記第１の電話機の第１の電話機識別情報とを含む登録要求を受ける通信インタフェースと、
複数の第２の電話機のそれぞれについて、少なくとも第２の電話機識別情報、前記中継器に接続された第２の電話機の第２の収容位置情報、及び内線番号を一組にして管理する管理テーブルと、
前記登録要求があった場合に、前記第１の電話機識別情報及び前記第１の収容位置情報に基づいて前記管理テーブルを検索し、前記第１の電話機識別情報が前記管理テーブルに登録されたいずれかの第２の電話機識別情報と一致し、かつ前記第１の収容位置情報が、一致した第２の電話機識別情報と組をなす第２の収容位置情報と一致しない場合は、前記管理テーブルにおいて、一致した前記第２の電話機識別情報と組をなす第２の収容位置情報を前記第１の収容位置情報に変更し、前記第１の電話機の内線番号として、一致した前記第２の電話機識別情報と組をなす内線番号を用いる処理部と、
を備えた交換機。
【００７１】
（付記１３）
第１の電話機が接続される中継器における、前記第１の電話機の第１の収容位置情報と、前記第１の電話機の第１の電話機識別情報とを含む登録要求を受ける通信インタフェースと、
複数の第２の電話機のそれぞれについて、少なくとも第２の電話機識別情報、前記中継器に接続された第２の電話機の第２の収容位置情報、及び内線番号を一組にして管理する管理テーブルと、
前記登録要求があった場合に、前記第１の電話機識別情報及び前記第１の収容位置情報に基づいて前記管理テーブルを検索する処理部と、を備え、
前記処理部は、前記第１の電話機識別情報が前記管理テーブルに登録されたいずれの前記第２の電話機識別情報とも一致せず、かつ前記第１の収容位置情報が前記管理テーブルに登録されたいずれかの前記第２の収容位置情報と一致する場合は、前記管理テーブルにおいて、一致した前記第２の収容位置情報と組をなす第２の電話機識別情報を前記第１の電話機識別情報に変更し、前記第１の電話機の内線番号として、一致した前記第２の収容位置情報と組をなす内線番号を用い、
前記処理部は、前記第１の電話機識別情報が前記管理テーブルに登録されたいずれかの第２の電話機識別情報と一致し、かつ前記第１の収容位置情報が、一致した第２の電話機識別情報と組をなす第２の収容位置情報と一致しない場合は、前記管理テーブルにおいて、一致した前記第２の電話機識別情報と組をなす第２の収容位置情報を前記第１の収容位置情報に変更し、前記第１の電話機の内線番号として、一致した前記第２の電話機識別情報と組をなす内線番号を用いる交換機。
【００７２】
（付記１４）
一致した前記第２の収容位置情報と組をなす第２の電話機識別情報を前記第１の電話機識別情報に変更する前に、前記第１の電話機にデータ移行の実行確認通知を行い、データ移行の実行の応答を受けた場合に、前記第２の電話機識別情報を前記第１の電話機識別情報に変更することを特徴とする付記１１又は１３に記載の交換機。
【００７３】
（付記１５）
一致した前記第２の電話機識別情報と組をなす第２の収容位置情報を前記第１の収容位置情報に変更する前に、前記第１の電話機にデータ移行の実行確認通知を行い、データ移行の実行の応答を受けた場合に、前記第２の収容位置情報を前記第１の収容位置情報に変更することを特徴とする付記１２又は１３に記載の交換機。
【００７４】
（付記１６）
交換機としてのコンピュータに、
第１の電話機が接続される中継器における、前記第１の電話機の第１の収容位置情報と、前記第１の電話機の第１の電話機識別情報とを含む登録要求を受ける手順と、
複数の第２の電話機のそれぞれについて、少なくとも第２の電話機識別情報、前記中継器に接続された第２の電話機の第２の収容位置情報、及び内線番号を一組にして管理する管理テーブルを、前記第１の電話機識別情報及び前記第１の収容位置情報に基づいて検索する手順と、
前記第１の電話機識別情報が前記管理テーブルに登録されたいずれの前記第２の電話機識別情報とも一致せず、かつ前記第１の収容位置情報が前記管理テーブルに登録されたいずれかの前記第２の収容位置情報と一致する場合は、前記管理テーブルにおいて、一致した前記第２の収容位置情報と組をなす第２の電話機識別情報を前記第１の電話機識別情報に変更し、前記第１の電話機の内線番号として、一致した前記第２の収容位置情報と組をなす内線番号を用いる手順と、
を実行させるための電話機交換用プログラム。
【００７５】
（付記１７）
交換機としてのコンピュータに、
第１の電話機が接続される中継器における、前記第１の電話機の第１の収容位置情報と、前記第１の電話機の第１の電話機識別情報とを含む登録要求を受ける手順と、
複数の第２の電話機のそれぞれについて、少なくとも第２の電話機識別情報、前記中継器に接続された第２の電話機の第２の収容位置情報、及び内線番号を一組にして管理する管理テーブルを、前記第１の電話機識別情報及び前記第１の収容位置情報に基づいて検索する手順と、
前記第１の電話機識別情報が前記管理テーブルに登録されたいずれかの第２の電話機識別情報と一致し、かつ前記第１の収容位置情報が、一致した第２の電話機識別情報と組をなす第２の収容位置情報と一致しない場合は、前記管理テーブルにおいて、一致した前記第２の電話機識別情報と組をなす第２の収容位置情報を前記第１の収容位置情報に変更し、前記第１の電話機の内線番号として、一致した前記第２の電話機識別情報と組をなす内線番号を用いる手順と、
を実行させるための電話機交換用プログラム。
【００７６】
（付記１８）
交換機としてのコンピュータに、
第１の電話機が接続される中継器における、前記第１の電話機の第１の収容位置情報と、前記第１の電話機の第１の電話機識別情報とを含む登録要求を受ける手順と、
複数の第２の電話機のそれぞれについて、少なくとも第２の電話機識別情報、前記中継器に接続された第２の電話機の第２の収容位置情報、及び内線番号を一組にして管理する管理テーブルを、前記第１の電話機識別情報及び前記第１の収容位置情報に基づいて検索する手順と、
前記第１の電話機識別情報が前記管理テーブルに登録されたいずれの前記第２の電話機識別情報とも一致せず、かつ前記第１の収容位置情報が前記管理テーブルに登録されたいずれかの前記第２の収容位置情報と一致する場合は、前記管理テーブルにおいて、一致した前記第２の収容位置情報と組をなす第２の電話機識別情報を前記第１の電話機識別情報に変更し、前記第１の電話機の内線番号として、一致した前記第２の収容位置情報と組をなす内線番号を用いる手順と、
前記第１の電話機識別情報が前記管理テーブルに登録されたいずれかの第２の電話機識別情報と一致し、かつ前記第１の収容位置情報が、一致した第２の電話機識別情報と組をなす第２の収容位置情報と一致しない場合は、前記管理テーブルにおいて、一致した前記第２の電話機識別情報と組をなす第２の収容位置情報を前記第１の収容位置情報に変更し、前記第１の電話機の内線番号として、一致した前記第２の電話機識別情報と組をなす内線番号を用いる手順と、
を実行させるための電話機交換用プログラム。
【００７７】
（付記１９）
一致した前記第２の収容位置情報と組をなす第２の電話機識別情報を前記第１の電話機識別情報に変更する前に、前記第１の電話機にデータ移行の実行確認通知を行い、データ移行の実行の応答を受けた場合に、前記第２の電話機識別情報を前記第１の電話機識別情報に変更することを特徴とする付記１６又は１８に記載の電話機交換用プログラム。
【００７８】
（付記２０）
一致した前記第２の電話機識別情報と組をなす第２の収容位置情報を前記第１の収容位置情報に変更する前に、前記第１の電話機にデータ移行の実行確認通知を行い、データ移行の実行の応答を受けた場合に、前記第２の収容位置情報を前記第１の収容位置情報に変更することを特徴とする付記１７又は１８に記載の電話機交換用プログラム。
【産業上の利用可能性】
【００７９】
本発明は、電話機の交換に伴うデータ移行を自動的に行う電話システム、交換機、電話機交換方法、電話機交換用プログラムに利用される。
【符号の説明】
【００８０】
１０  交換機
２０Ａ−１〜２０Ａ−ｎ、２０Ｂ−１〜２０Ｂ−ｎ  ＩＰ電話機
３０Ａ、３０Ｂ  スイッチングハブ
４０  ＬＡＮ回線
１０１  制御装置
１０２  通信インタフェース
１０３  メモリ
１０４  電話機交換判定処理部
１０５  データ移行処理部
２０１  制御装置
２０２  通信インタフェース
【図１】
2017069859.tif 000003
【図２】
2017069859.tif 000004
【図３】
2017069859.tif 000005
【図４】
2017069859.tif 000006
【図５】
2017069859.tif 000007
【図６】
2017069859.tif 000008
【図７】
2017069859.tif 000009
【図８】
2017069859.tif 000010